(57)【特許請求の範囲】
【請求項１】
第１の表面および第１の裏面を備える板状の第１の部材と、
第２の表面および第２の裏面を備える板状の第２の部材と、
前記第１の部材および前記第２の部材のそれぞれの一側の端部を回動可能に連結する連結手段と、
前記第１の裏面と前記第２の裏面とが対向する回動方向に前記第１の部材および前記第２の部材を付勢する付勢部材と、
前記付勢部材の付勢力に抗して、前記第１の表面と前記第２の表面とが対向した状態を保持する保持手段と、
を有し、
前記保持手段は、前記第１の部材の他側の端部に回動可能に設けられる可動体を有し、
前記可動体は、前記第２の部材の裏面側の端面に引っ掛かる掛かり部を有し、前記第１の表面と前記第２の表面とが対向した状態のとき、前記可動体を回動させることにより、前記第２の部材の裏面側の端面に前記掛かり部が引っ掛かり、前記第１の表面と前記第２の表面とが対向した状態を保持し、
前記保持手段は、外力を受けると、保持した前記第１の部材および前記第２の部材を解放するものであり、
前記第１の部材および前記第２の部材は、前記第１の表面と前記第２の表面とが対向する状態に保持されたとき、外力により前記保持手段から解放されることによって、前記付勢部材の復元力で、前記第１の裏面と前記第２の裏面とが対向する方向に跳ね上がりながら回動する玩具。
【請求項２】
前記第１の部材と前記第２の部材は、前記掛かり部で保持された状態において、前記第１の表面と前記第２の表面が接近する方向に回動可能な可動域を有する請求項１に記載の玩具。
【請求項３】
前記掛かり部は、前記第２の部材の前記第２の裏面側を保持する押え面を有し、
前記第２の部材は、前記押え面に保持される受け面を有し、
前記受け面は、前記押え面に対して傾斜する面である請求項２に記載の玩具。
【請求項４】
前記第１の表面、前記第２の表面、前記第１の裏面および前記第２の裏面のうち少なくとも１つの面には、所定の表示が施される請求項１乃至請求項３のいずれか一項に記載の玩具。
【発明の詳細な説明】
【技術分野】
【０００１】
本発明は、玩具に関し、特に、付勢部材の復元力で跳ね上がる玩具に関する。
【背景技術】
【０００２】
従来、ゴム環の復元力を利用して玩具を跳躍させる技術が知られている。
【０００３】
特許文献１には、複数個の足で支持された玩具主体の一端部に、折り曲げ自在の折り畳み部を形成し、玩具主体の下面側に折り畳み部を折り畳んだ状態で、玩具主体および折り畳み部のそれぞれの先端にゴム環を嵌め、このゴム環を引っ張って玩具主体の上面側に折り畳み部を折り返した後、玩具主体の上面に折り畳み部を吸盤で吸着する跳躍玩具が提案されている。
【０００４】
特許文献１の跳躍玩具によれば、折り畳み部を吸盤で吸着した後、使用者が手を離すと、吸盤の吸着力が減衰して玩具主体の上面から折り畳み部が外れる。これにより、ゴム環の反発力で折り畳み部が逆転して、バッタが跳ぶように玩具が上方へ跳躍する。
【先行技術文献】
【特許文献】
【０００５】
【特許文献１】実開昭５９−８２０９８号公報
【発明の概要】
【発明が解決しようとする課題】
【０００６】
特許文献１の跳躍玩具において、玩具主体の上面から折り畳み部が外れるタイミングは、吸盤の吸着力が減衰したときである。このため、玩具が跳躍するタイミングは、主に吸盤の仕様によって決まる。近年、使用者が与える刺激によって反応する玩具が求められており、このため、特許文献１の跳躍玩具のように、跳躍するタイミングが既に決まっている玩具は、面白味に欠ける。
【０００７】
そこで、本発明は、このような事情に鑑みてなされたものであり、その目的は、外からの刺激によって跳ね上がる面白い玩具を提供することにある。
【課題を解決するための手段】
【０００８】
本発明の玩具は、第１の表面および第１の裏面を備える板状の第１の部材と、第２の表面および第２の裏面を備える板状の第２の部材と、前記第１の部材および前記第２の部材のそれぞれの一側の端部を回動可能に連結する連結手段と、前記第１の裏面と前記第２の裏面とが対向する回動方向に前記第１の部材および前記第２の部材を付勢する付勢部材と、前記付勢部材の付勢力に抗して、前記第１の表面と前記第２の表面とが対向した状態を保持する保持手段と、を有し、前記保持手段は、前記第１の部材の他側の端部に回動可能に設けられる可動体を有し、前記可動体は、前記第２の部材の裏面側の端面に引っ掛かる掛かり部を有し、前記第１の表面と前記第２の表面とが対向した状態のとき、前記可動体を回動させることにより、前記第２の部材の裏面側の端面に前記掛かり部が引っ掛かり、前記第１の表面と前記第２の表面とが対向した状態を保持し、前記保持手段は、外力を受けると、保持した前記第１の部材および前記第２の部材を解放するものであり、前記第１の部材および前記第２の部材は、前記第１の表面と前記第２の表面とが対向する状態に保持されたとき、外力により前記保持手段から解放されることによって、前記付勢部材の復元力で、前記第１の裏面と前記第２の裏面とが対向する方向に跳ね上がりながら回動する構成を有する。
【００１０】
本発明の玩具では、前記第１の部材と前記第２の部材は、前記掛かり部で保持された状態において、前記第１の表面と前記第２の表面が接近する方向に回動可能な可動域を有することが好ましい。
【００１１】
本発明の玩具では、前記掛かり部は、前記第２の部材の前記第２の裏面側を保持する押え面を有し、前記第２の部材は、前記押え面に保持される受け面を有し、前記受け面は、前記押え面に対して傾斜する面であることが好ましい。
【００１２】
本発明の玩具は、前記第１の表面、前記第２の表面、前記第１の裏面および前記第２の裏面のうち少なくとも１つの面には、所定の表示が施されることが好ましい。
【発明の効果】
【００１３】
本発明によれば、外からの刺激によって跳ね上がる面白い玩具を提供することができる。
【図面の簡単な説明】
【００１４】
【図１】本発明に係る実施形態の玩具の斜視図であり、第１の裏面と第２の裏面が合わさる形態を示す図である。
【図２】玩具の展開図であり、（ａ）は表側から見た図、（ｂ）は裏側から見た図である。
【図３】（ａ）ないし（ｄ）は、玩具を保持する方法を説明する図である。
【図４】玩具の斜視図であり、第１の表面と第２の表面が合わさる形態を示す図である。
【図５】図４のＡ−Ａ線断面図である。
【図６】玩具の作用説明図である。
【図７】玩具の使用例を説明する図である。
【図８】玩具の他の使用例を説明する図である。
【発明を実施するための形態】
【００１５】
（実施形態）
以下、添付図面を参照して、本発明を実施するための形態（以下、「実施形態」と称する。）について詳細に説明する。実施形態の説明の全体を通して同じ要素には同じ番号を付している。また、図面は、符号の向きに見るものとする。
【００１６】
（玩具の全体構成）
まず、実施形態の玩具の全体構成を図１に基づいて説明する。
図１に示すように、実施形態の玩具１は、第１の部材１０および第２の部材２０と、第１の部材１０および第２の部材２０を折り畳み可能に連結する連結手段３０と、第１の部材１０および第２の部材２０を所定の回動方向に付勢する付勢部材４０と、使用者によって操作され第１の部材１０および第２の部材２０を保持する保持手段５０とを有する。
【００１７】
次に、付勢部材４０を除く玩具１の各要素を図２に基づいて詳細に説明する。
図２は、付勢部材４０を外した玩具１の展開図であり、（ａ）は表側から見た図、（ｂ）は裏側から見た図である。
【００１８】
（第１・第２の部材の構成）
図２（ａ）および（ｂ）に示すように、第１の部材１０および第２の部材２０は、それぞれ、外形が長方形状に形成される板状の部材である。第１の部材１０および第２の部材２０のそれぞれの外形は、長方形状の他、正方形、円形、多角形を含む各種の形状から選択可能である。また、第１の部材１０および第２の部材２０を構成する材料は、合成樹脂を含む各種の材料から選択可能である。
【００１９】
第１の部材１０は、第１の表面１１Ａを表側に備え、第１の裏面１１Ｂを裏側に備える。これら第１の表面１１Ａ、第１の裏面１１Ｂは、段差を介して第１の部材１０の縁部１２に連なっており、縁部１２に対して若干凹んだ平面である。第１の表面１１Ａ、第１の裏面１１Ｂのそれぞれには、所定の表示が施されており、この例では、第１の表面１１Ａには、円の中にドットの模様が描かれた表示１１ａが施され、第１の裏面１１Ｂには、円の中が白く抜かれた表示１１ｂが施される。
【００２０】
一方、第２の部材２０は、第２の表面２１Ａを表側に備え、第２の裏面２１Ｂを裏側に備える。これら第２の表面２１Ａ、第２の裏面２１Ｂは、段差を介して第２の部材２０の縁部２２に連なっており、縁部２２に対して若干凹んだ平面である。第２の表面２１Ａ、第２の裏面２１Ｂのそれぞれには、所定の表示が施されており、この例では、第２の表面２１Ａには、四角の中にドットの模様が描かれた表示２１ａが施され、第２の裏面２１Ｂには、四角の中が白く抜かれた表示２１ｂが施される。
【００２１】
このように、実施形態では、本発明に係る表示の一例として、第１の部材１０の表裏には、円を印象付ける表示１１ａ，１１ｂが施され、第２の部材２０の表裏には、四角を印象付ける表示２１ａ，２１ｂが施される。そして、第１の部材１０および第２の部材２０のそれぞれにおいて、表側には、ドットの模様を印象付ける表示１１ａ，２１ａが施され、裏側には、模様の無い白抜きを印象付ける表示１１ｂ，２１ｂが施される。これらの表示１１ａ，１１ｂ，２１ａ，２１ｂを施す手段は、任意であるが、例えば、第１の表面１１Ａ、第１の裏面１１Ｂ、第２の表面２１Ａおよび第２の裏面２１Ｂに、表示１１ａ，１１ｂ，２１ａ，２１ｂを印刷したシール等を接着してもよいし、表示１１ａ，１１ｂ，２１ａ，２１ｂを直接印刷してもよい。
【００２２】
なお、本実施形態では、第１の表面１１Ａ、第１の裏面１１Ｂ、第２の表面２１Ａおよび第２の裏面２１Ｂの４つの面に、表示１１ａ，１１ｂ，２１ａ，２１ｂを施した例を示したが、表示は、第１の表面１１Ａ、第１の裏面１１Ｂ、第２の表面２１Ａおよび第２の裏面２１Ｂのうち少なくとも１つの面に設けることができる。また、本発明に係る表示は、表示１１ａ，１１ｂ，２１ａ，２１ｂの他、文字、絵、キャラクター、図形、記号、写真あるいはこれらの組み合わせなど、種類は任意である。
【００２３】
第１の部材１０および第２の部材２０のそれぞれの基端部（一側の端部）１３，２３には、連結手段３０を設けるための連結用切り欠き１４，２４が形成される。連結用切り欠き１４，２４は、それぞれ、コの字状に形成されて互いに向き合う。
【００２４】
第１の部材１０および第２の部材２０のそれぞれの先端部（他側の端部）１５，２５には、保持用切り欠き１６，２６が設けられる。保持用切り欠き１６，２６は、それぞれ、コの字状に形成される。第１の部材１０の保持用切り欠き１６には、先端部１５に沿って延びる保持用回動軸１７が設けられる。一方、第２の部材２０の保持用切り欠き２６は、単なる切り欠きとして構成されるが、この保持用切り欠き２６には、受け面２７が連ねて設けられる。この受け面２７は、第２の裏面２１Ｂ側に設けられる面であって、第２の裏面２１Ｂと縁部２２の段差を利用して傾斜する。
【００２５】
さらに、第１の部材１０および第２の部材２０のそれぞれの両側部には、切り欠き状の挿通部１８，２８が形成される。これら挿通部１８，２８は、先端部１５，２５の近傍位置に設けられ、側方に開放すると共に基端部１３，２３側に曲がるＬ字状に形成される。挿通部１８，２８のそれぞれには、付勢部材４０（図１参照）が通して掛け止められる。
【００２６】
（連結手段の構成）
連結手段３０は、いわゆる二軸ヒンジであり、第１の部材１０および第２の部材２０のそれぞれの基端部１３，２３を回動可能に連結する。連結手段３０は、第１の裏面１１Ｂと第２の裏面２１Ｂが合わさる折り畳み形態、または、第１の表面１１Ａと第２の表面２１Ａが合わさる折り畳み形態のいずれかの形態に、第１の部材１０および第２の部材２０を折り畳み可能とする。連結手段３０は、第１の部材１０および第２の部材２０に設けられる２本の折り畳み用回動軸３１と、連結用切り欠き１４，２４に嵌合されるヒンジ３２とによって構成される。
【００２７】
なお、以下の説明において、第１の裏面１１Ｂと第２の裏面２１Ｂが合わさる形態（第１の表面１１Ａと第２の表面２１Ａが外側に露出する形態）を「折り畳み形態Ａ」と呼び、第１の表面１１Ａと第２の表面２１Ａが合わさる形態（第１の裏面１１Ｂと第２の裏面２１Ｂが外側に露出する形態）を「折り畳み形態Ｂ」と呼ぶこととする。また、「折り畳み形態Ａ」に折り畳まれた玩具１を「玩具１Ａ」と呼び、「折り畳み形態Ｂ」に折り畳まれた玩具１を「玩具１Ｂ」と呼ぶこととする。
【００２８】
２本の折り畳み用回動軸３１は、基端部１３，２３に沿って連結用切り欠き１４，２４を延びる。ヒンジ３２は、２本の円筒を連ねた形態であり、離間する２本の折り畳み用回動軸３１を貫通させて保持する。ヒンジ３２の外周面には、複数（ここでは、２個）の鍔部３３が形成される。これら複数の鍔部３３は、互いに離間して配置され、ヒンジ３２の軸方向両端の近傍に設けられる。
【００２９】
このように構成される連結手段３０により、使用者は、第１の部材１０、第２の部材２０の両方またはいずれか一方を、ヒンジ３２を中心に回動することができ、これにより、玩具１を折り畳み形態Ａまたは折り畳み形態Ｂに折り畳むことができる。
【００３０】
（保持手段の構成）
保持手段５０は、第１の部材１０および第２の部材２０を折り畳み形態Ｂに折り畳んだときに、第１の部材１０と第２の部材２０を保持する。保持手段５０は、保持用回動軸１７と、保持用回動軸１７に回動可能に設けられる可動体５１とによって構成される。可動体５１は、カギ状に折れ曲がる掛かり部５２を先端に有する。この掛かり部５２は、玩具１を折り畳み形態Ｂに折り畳んだときに、第２の部材２０の保持用切り欠き２６に嵌ると共に受け面２７に引っ掛かる部分である。掛かり部５２は、受け面２７を保持する押え面５３を有する。保持手段５０は、何らかの外力を受けると、押え面５３が受け面２７から外れ、保持した第１の部材１０および第２の部材２０を解放するように構成される。ここで、外力とは、使用者が玩具１に直接的または間接的に与える刺激であり、使用者が触ることで玩具１が受ける力、玩具１が他の玩具１と接触することで受ける力、玩具１が他の物品等と接触することで受ける力などを含む。
【００３１】
（付勢部材の構成）
次に、付勢部材４０の構成を図１に基づいて説明する。図１に示すように、付勢部材４０には、例えば、輪状のゴム等の弾性部材を用いることができる。この場合、折り畳み形態Ａに折り畳んだ玩具１Ａにおいて、例えば、付勢部材４０の一部４１を２つの挿通部２８に嵌めた後、付勢部材４０を捩じって交差する。そして、交差することで形成される付勢部材４０の輪部４２を２つの挿通部１８に嵌める。このように取り付けた付勢部材４０は、折り畳み形態Ａとなる回動方向に、第１の部材１０および第２の部材２０を付勢する。
【００３２】
なお、この例では、付勢部材４０を捩じって交差したが、第１の部材１０と第２の部材２０の間において、付勢部材４０を捩じらずに平行な２本の直線状に形成してもよい。また、付勢部材４０は、輪状のゴムを含む各種のゴム部材や、各種のばね部材、あるいは、これらの組み合わせから選択可能であり、付勢部材４０の種類は任意である。
【００３３】
（玩具の保持方法）
次に、玩具１Ａを折り返して折り畳み形態Ｂに保持する方法を図３〜図５に基づいて説明する。
【００３４】
図３（ａ）は、折り畳み形態Ａに折り畳まれ、且つ、付勢部材４０が取り付けられた玩具１Ａを示しており、この状態から、図３（ｂ）に示すように、第１の裏面１１Ｂと第２の裏面２１Ｂが互いに離間する向きに、付勢部材４０の付勢力に抗して（付勢部材４０を伸ばしながら）、第２の部材２０を回動する（矢印（１））。第２の部材２０をさらに回動して、第２の部材２０を第１の部材１０の第１の表面１１Ａ側に折り返して反転すると（矢印（２））、図３（ｃ）に示すように、折り畳み形態Ｂの玩具１Ｂが得られる。このとき、付勢部材４０が連結手段３０の外側を廻って引き伸ばされるが、付勢部材４０の交差部４３が複数の鍔部３３（図２参照）の間に嵌るため、付勢部材４０がヒンジ３２（図２参照）の両端に挟まるなどの不具合を防ぐことができる。
【００３５】
玩具１Ｂには、付勢部材４０の復元力によって折り畳み形態Ａに戻る力が働くが、使用者は、第１の部材１０と第２の部材２０を両側から手で挟むなどして折り畳み形態Ａを維持しながら、可動体５１を第２の部材２０側に回動させ（矢印（３））、図３（ｄ）に示すように、掛かり部５２を第２の部材２０の先端部２５に引っ掛ける。これにより、玩具１Ｂは、図４に示すように、折り畳み形態Ｂに保持される。
【００３６】
（掛かり部の保持構造）
ここで、玩具１Ｂにおける掛かり部５２の保持構造について述べる。図５は、図４のＡ−Ａ線断面図である。
【００３７】
図５に示すように、玩具１Ｂにおいて、掛かり部５２の押え面５３は、第２の裏面２１Ｂの受け面２７を押えて保持する。この保持力は、伸ばされた付勢部材４０の復元力によって、受け面２７が押え面５３に当接することで生ずる。そして、折り畳み形態Ｂに保持された第１の部材１０と第２の部材２０は、第１の表面１１Ａと第２の表面２１Ａが接近する方向に回動可能な可動域（いわゆる遊び）θを有する。すなわち、掛かり部５２は、第１の表面１１Ａと第２の表面２１Ａが隙間無く重なった状態で受け面２７に引っ掛かるものではなく、第２の表面２１Ａと第１の表面１１Ａが離間した状態で受け面２７に引っ掛かる。このため、第１の表面１１Ａと第２の表面２１Ａがさらに接近する方向に、第１の部材１０と第２の部材２０が回動すると、受け面２７と押え面５３が離間し、且つ、付勢部材４０の復元力が押え面５３に作用しなくなる。このとき、押え面５３が受け面２７から外れ易い状態になる。
【００３８】
また、折り畳み形態Ｂに保持された玩具１Ｂにおいて、第２の部材２０の受け面２７は、押え面５３に対して傾斜する面に形成される。仮に、受け面と押え面が完全に重なる互いに平行な面である場合、受け面がしっかりと押え面に保持されてしまうため、掛かり部５２の保持力が高くなる。この場合、第２の部材２０から掛かり部５２が外れにくくなり、外力に対する玩具１Ｂの反応（跳ね上がり動作）が悪くなる。この点、本実施形態では、受け面２７と押え面５３が互いに非平行な面であり重ならないので、掛かり部５２の保持力を弱く設定することができる。なお、傾斜する受け面２７は、平面状、曲面状のいずれでもよく、玩具１に求められる仕様に応じて、各種の形状から選択可能である。
【００３９】
（玩具の作用・効果）
次に、玩具１の作用・効果を図６に基づいて説明する。例えば、図６に示すように、折り畳み形態Ｂに保持された玩具１Ｂを設置面に静かに置く。この置いた玩具１Ｂに何らかの外力が加わると、可動体５１が回動して掛かり部５２が第２の部材２０から外れる（矢印（４））。すると、保持された第１の部材１０と第２の部材２０が可動体５１から解放されるため、大きく伸ばされた付勢部材４０の復元力によって、第１の部材１０と第２の部材２０は、第１の裏面１１Ｂと第２の裏面２１Ｂが合わさる方向に瞬発的に回動する。結果、玩具１Ｂは、設置面を跳ね上がりながら、折り畳み形態Ａに戻る。
【００４０】
なお、この例では、第１の部材１０を下側にし、第２の部材２０を上側にして、折り畳み形態Ｂに保持された玩具１Ｂを設置面に置いたが、第１の部材１０および第２の部材２０の向きは任意である。
【００４１】
以上、説明した玩具１によれば、何らかの外力を受けることで第１の部材１０および第２の部材２０を解放する保持手段５０を採用したので、玩具１Ｂが跳ね上がるタイミングは、使用者が玩具１Ｂに刺激を与えるタイミングや刺激の大きさ、使用方法によって決めることができる。したがって、跳ね上がるタイミングが既に定められている従来の玩具に比べて、より面白い玩具１を得ることができる。
【００４２】
また、第１の部材１０に可動体５１を設けた簡便な保持手段５０により、第１の部材１０と第２の部材２０を保持することができる。
【００４３】
また、折り畳み形態Ｂに保持された玩具１Ｂでは、可動域θ（図５参照）により、掛かり部５２の押え面５３が受け面２７から外れ易い状態にある。したがって、小さな外力でも、玩具１Ｂを容易に跳ね上がらせることができる。
【００４４】
また、掛かり部５２の押え面５３に対して、受け面２７が傾斜するため、掛かり部５２の保持力を弱く設定することができる。これにより、第２の部材２０から掛かり部５２が一層外れ易くなるため、より小さな外力でも、玩具１Ｂを容易に跳ね上がらせることができる。
【００４５】
また、第１の表面１１Ａ、第１の裏面１１Ｂ、第２の表面２１Ａおよび第２の裏面２１Ｂに、所定の表示１１ａ，１１ｂ，２１ａ，２１ｂを施すことで、折り畳み形態Ａから折り畳み形態Ｂへの表裏反転を利用して、露出する表示が様々に変化する楽しい玩具１を提供することができる。例えば、図７に示すように、面を反転させて遊ぶ面子（めんこ）のように、複数の玩具１Ｂを対戦型の玩具として楽しむことができる。
【００４６】
さらに、図８に示すように、折り畳み形態Ｂに保持した複数の玩具１Ｂを並べて使用することもできる。例えば、複数の玩具１Ｂａ，１Ｂｂ，１Ｂｃ，１Ｂｄを平面状に並べて置いておき、何らかの外力を与えて最端位置の玩具１Ｂａを動作させる（矢印（６））。外力を受けた最端位置の玩具１Ｂａは、玩具１Ａに戻りながら跳ね上がり（矢印（７））、隣の玩具１Ｂｂに当たって外力を与える（矢印（８））。すると、この隣の玩具１Ｂｂが玩具１Ａに戻りながら跳ね上がり、同様にして、さらに隣の他の玩具１Ｂｃ，１Ｂｄも順次外力を受ける（矢印（９）、矢印（１０））。これにより、白抜きの矢印で示す方向に、複数の玩具１Ｂａ〜１Ｂｄを順次ひっくり返すことができ、いわゆるドミノ遊びのように、多数の玩具１Ｂを連鎖的に動作させて楽しむことができる。
【００４７】
以上、実施形態を用いて本発明を説明したが、本発明の技術的範囲は上記実施形態に記載の範囲には限定されないことは言うまでもない。上記実施形態に、多様な変更または改良を加えることが可能であることが当業者に明らかである。またその様な変更または改良を加えた形態も本発明の技術的範囲に含まれ得ることが、特許請求の範囲の記載から明らかである。
【００４８】
例えば、本発明の玩具において、付勢部材の取り付け方法を含む玩具の保持方法や、第１・第２の部材の動作および向きは、実施形態に格別に限定されるものではなく、求められる玩具の仕様や使用方法に応じて任意に設定可能である。
【符号の説明】
【００４９】
１      玩具
１Ａ    玩具
１Ｂ    玩具
１０    第１の部材
１１Ａ  第１の表面
１１ａ  表示
１１Ｂ  第１の裏面
１１ｂ  表示
１３    第１の部材の基端部（一側の端部）
１５    第１の部材の先端部（他側の端部）
２０    第２の部材
２１Ａ  第２の表面
２１ａ  表示
２１Ｂ  第２の裏面
２１ｂ  表示
２３    第２の部材の基端部（一側の端部）
２５    第２の部材の先端部（他側の端部）
２７    受け面
３０    連結手段
４０    付勢部材
５０    保持手段
５１    可動体
５２    掛かり部
５３    押え面
θ      可動域
【要約】
【課題】  外からの刺激によって跳ね上がる面白い玩具を提供する。
【解決手段】  玩具１は、第１の表面１１Ａおよび第１の裏面１１Ｂを備える第１の部材１０と、第２の表面２１Ａおよび第２の裏面２１Ｂを備える第２の部材２０と、第１の裏面１１Ｂと第２の裏面２１Ｂが合わさる折り畳み形態または第１の表面１１Ａと第２の表面２１Ａが合わさる折り畳み形態に、第１の部材１０および第２の部材２０を折り畳み可能とする連結手段３０と、第１の裏面１１Ｂと第２の裏面２１Ｂが合わさる回動方向に第１の部材１０および第２の部材２０を付勢する付勢部材４０と、付勢部材４０の付勢力に抗して、第１の表面１１Ａと第２の表面２１Ａが合わさる折り畳み形態に第１の部材１０および第２の部材２０を折り畳んだときに第１の部材１０と第２の部材２０を保持する保持手段５０と、有する。
【選択図】  図１【図１】
0005390003.tif 000002
【図２】
0005390003.tif 000003
【図３】
0005390003.tif 000004
【図４】
0005390003.tif 000005
【図５】
0005390003.tif 000006
【図６】
0005390003.tif 000007
【図７】
0005390003.tif 000008
【図８】
0005390003.tif 000009